(57)【要約】  塗料スプレーガン用にプラスチック等の安価な材料で製造された使い捨てのカートリッジアセンブリを開示する。塗料がカートリッジアセンブリ内に流入して、カートリッジアセンブリの周辺を流れてカートリッジアセンブリ液スプレー先端開口部を通り過ぎる圧縮空気によりカートリッジアセンブリの先端から吸い出されることにより、塗料を霧化して、自動車ボディ等の加工面上へ塗料を均一に塗布することが可能になる。安価な材料により、使用後にカートリッジを洗浄せずに廃棄できる。更に、カートリッジアセンブリ内で塗料スプレーガンの内部機構に塗料を一切接触させないことにより、スプレーガンを使用後に洗浄する必要性が減るかまたは無くなる。
2011519307.tif 000002
【特許請求の範囲】
【請求項１】
スプレーガン用の使い捨てカートリッジアセンブリであって、
内部を液体が通過することを許容する開口部を備えた先端を有するキャップを一端に有し、貫通する開口部を備えたキャップを第二端に有する管と、
前記キャップの先端の開口部と係合し、前記開口部から液体が流出するのを防止する先細端部を有する針であって、前記開口部を通る液体の流れを防止しながら前記管の第二端において前記開口部とスライド可能に係合する針と、
液体供給源に接続するための前記管の開口部と、
を含み、
前記先端の開口部から液体の可変的な流出を許容すべく前記針が移動可能である、
スプレーガン用使い捨てカートリッジアセンブリ。
【請求項２】
前記管の側面において前記開口に接続する第２の管であって、一端において前記管と一体化されていて、液体容器に装着すべくコネクタを有する第２の管を有する、請求項１に記載のスプレーガン用使い捨てカートリッジアセンブリ。
【請求項３】
前記針を押し付けて前記先端に係合させて液体の流れを止めるべく前記針および前記管に接続されたバネを有する、請求項１に記載のスプレーガン用使い捨てカートリッジアセンブリ。
【請求項４】
前記バネが前記管の内部で前記針を囲む、請求項２に記載のスプレーガン用使い捨てカートリッジアセンブリ。
【請求項５】
噴射されている前記スプレーを制御する前記管のキャップの先端に隣接するハウジングに空気放出スプレーガンノズルを有する、請求項１に記載のスプレーガン用使い捨てカートリッジアセンブリ。
【請求項６】
前記管を取り外し可能に含むスプレーガンハウジングを有し、前記ハウジングの管から液体を噴射すべく前記キャップの先端上に気流を有し、前記ハウジングが、前記管に対する前記針の位置を調整し、これにより前記管を通る前記液体の流れを調整すべく前記管の第二端に隣接する針に装着されたレバーを有する、請求項１に記載のスプレーガン用使い捨てカートリッジアセンブリ。
【請求項７】
前記管がプラスチックである、請求項１に記載のスプレーガン用使い捨てカートリッジアセンブリ。
【請求項８】
前記管がプラスチックである、請求項２に記載のスプレーガン用使い捨てカートリッジアセンブリ。
【請求項９】
前記管がプラスチックである、請求項３に記載のスプレーガン用使い捨てカートリッジアセンブリ。
【請求項１０】
前記管がプラスチックである、請求項４に記載のスプレーガン用使い捨てカートリッジアセンブリ。
【請求項１１】
前記管がプラスチックである、請求項５に記載のスプレーガン用使い捨てカートリッジアセンブリ。
【請求項１２】
前記管がプラスチックである、請求項６に記載のスプレーガン用使い捨てカートリッジアセンブリ。
【請求項１３】
前記針がプラスチックである、請求項７に記載のスプレーガン用使い捨てカートリッジアセンブリ。
【請求項１４】
前記針がプラスチックである、請求項８に記載のスプレーガン用使い捨てカートリッジアセンブリ。
【請求項１５】
前記針がプラスチックである、請求項１１に記載のスプレーガン用使い捨てカートリッジアセンブリ。
【請求項１６】
前記針がプラスチックである、請求項１２に記載のスプレーガン用使い捨てカートリッジアセンブリ。
【発明の詳細な説明】
【技術分野】
【０００１】
本発明は、塗料の塗布等に使用されるカートリッジアセンブリでの用途に特に設計されている携帯用スプレーガンの改良に関し、特にスプレーガンカートリッジの廃棄可能性に関する。
【背景技術】
【０００２】
スプレーガンは、事故の後で修理に続いて塗装される車両等の相当広い面積に塗料を均一に塗布することが求められる塗装用途に広範に用いられている。通常、スプレーガンにおいて、液体はスプレーガンに装着された貯蔵タンクに収容されており、この貯蔵タンクから液体がスプレーノズルに供給される。スプレーノズルにおいて、圧縮空気が液体をスプレー（噴霧）へと霧化させ、スプレーは次いで塗装される表面に塗布される。液体は、貯蔵タンクへ通じるエアブリードラインにより、圧縮空気ラインからスプレーガンへ重力供給、吸引供給、あるいは圧力供給できる。
【発明の概要】
【発明が解決しようとする課題】
【０００３】
従来、塗料スプレーガンおよび塗料スプレー装置は、毎回使用後に徹底的に洗浄する必要があり、スプレーガンの本体および各部を適切に洗浄するために多くの時間が費やされる。スプレーガンの洗浄により生じる溶媒のコストおよび処理可能廃棄物により追加的な出費および廃棄物が生じる。本発明は、当該コストおよび廃棄物を大幅に削減でき、更には無くすることもできる。
【０００４】
また、従来のスプレーガンにおいては、スプレーガンの給液端の大きさが固定されている。なぜなら、この給液端の大きさが調節可能である場合、毎回使用後に徹底的に洗浄する必要が生じるからである。本発明は、用途または塗装作業に応じて異なる給液端大きさに対して実施可能であって、使用後の洗浄を必要としない。
【課題を解決するための手段】
【０００５】
本発明は、使い捨てカートリッジアセンブリを備えたスプレーガンを提供する。カートリッジアセンブリ本体は、内面および外面、貯蔵タンクコネクタ、液スプレー先端および液スプレー先端開口部およびキャップ端部開口部を有する中空の管状構造であって、液針、液針シール、液針ワッシャー、液体圧縮バネ、Ｅクリップ、およびキャップを更に有している。カートリッジアセンブリは、典型的なスプレーガン内にぴったり収まり、使用後に廃棄すべく容易に取り外し可能である。カートリッジアセンブリはまた、各種のスプレーガン内にぴったり収まるように各種の形状および大きさを有していてもよい。貯蔵タンクは、液体、例えば塗料、化学品、染料、ニスその他の噴霧可能な液体を貯蔵タンクコネクタ経由でカートリッジアセンブリ、およびカートリッジアセンブリの中空本体へ供給する。圧縮空気が、スプレーガン内、カートリッジアセンブリ周辺、およびスプレーガンのスプレー先端の外へ流れることにより、カートリッジアセンブリから液体を強制的に吸い上げて、噴霧対象の表面に適用すべく液体を霧化させる。液体を収容する貯蔵タンクは貯蔵タンクコネクタ入口開口部によりカートリッジアセンブリに装着できるが、液体をカートリッジアセンブリに配管等他の何らかの手段により供給することもできる。貯蔵タンクコネクタ入口開口部の構成は、特定の種類の貯蔵タンクまたは液体がカートリッジアセンブリに流入する液体ホースに合致すべく異なっていてもよい。カートリッジアセンブリ本体、液針およびキャップは、各種の安価な材料、例えばプラスチック、金属、合金または何らかの堅牢なリサイクル材料で形成されていてもよい。
【図面の簡単な説明】
【０００６】
【図１】カートリッジアセンブリの断面図である。
【図２】カートリッジアセンブリの分解図である。
【図３】内部にカートリッジアセンブリを含む典型的なスプレーガンの断面図である。
【発明を実施するための形態】
【０００７】
図１を参照するに、カートリッジアセンブリ１を長さ方向に半分に切った断面を示す。カートリッジアセンブリ１は、本体２、外面３、内面４、先細液スプレー先端５、液スプレー先端開口部６、およびコネクタ入口開口部７を含んでいる。
【０００８】
ここで図２を参照するに、分解図で示すカートリッジアセンブリ１は更に、Ｅクリップ８、液体圧縮バネ９、液針ワッシャー１０、液針シール１１、液カートリッジ端部キャップ１２、および液針１３を含んでいる。カートリッジ端部キャップ１２は更に、嵌合端部１４および針調整端部１５を含んでいる。カートリッジ端部キャップ１２は更に、嵌合端部１４から針調整端部１５までのボア１６を含んでいる。ボア１６は、液針１３がカートリッジ端部キャップ１２を通ってスライド可能な程度に充分な直径を有する。
【０００９】
引き続き図２を参照するに、液針１３は、先細スプレー先端部１７および制御端部１８、および先細スプレー先端部１７と制御端部１８の中間付近に環状溝１９を含んでいる。液針１３の直径は、先細スプレー先端部１７が液カートリッジ端部キャップ１２を貫通するボア１６内をスライド可能なように、カートリッジ端部キャップボア１６の直径より僅かに小さい。制御端部１８の直径は、液針１３が液カートリッジ端部キャップ１２を完全に通り抜けるのを防止すべく、ボア１６より大きい。動作時において液針１３は、先細スプレー先端部１７を先頭に針調整端部１８まで、液カートリッジ端部キャップ１２を貫通してスライドする。しかし、液針シール１１が液針１３の周辺に配置されていて液カートリッジ端部キャップ１２の内側にぴったり合わさるため、ボア１６の外部への液体の流出が防止される。その後で液針ワッシャー１０が液針１３の上に配置され、次いで液体圧縮バネ９が液針１３の上に配置され、Ｅクリップ８が環状溝１９内で液針１３の周辺に固定されることにより、液体圧縮バネ９と液針ワッシャー１０が液針１３から外れるのを防止する。液カートリッジ端部キャップ１２は次いで、嵌合端部１４を本体２に挿入して接着手段により液体端部キャップ１２を本体２に固定することにより、本体２に装着される。嵌合端部１４の直径を本体２の内面４にぴったり合うように充分大きくすることにより、摩擦によっても液体端部キャップ１２を本体２に保持することができる。
【００１０】
再び図１を参照するに、液針１３が静止位置にある状態のカートリッジアセンブリ１を示す。液針１３の先細スプレー先端部１７は液スプレー先端開口部６内に静置している。静止位置にある間、液体はカートリッジアセンブリ１から一切流出できない。液針１３は動作時において、自身の静置位置から僅かに引き抜かれることにより、液体が液スプレー先端開口部６を通って流出できる。液体の貯蔵タンク（図示せず）が貯蔵タンクコネクタ入口開口部７に装着されていて、重力により液体がカートリッジアセンブリ１に流入することができる。
【００１１】
図３を参照するに、カートリッジアセンブリ１が所定の位置にあって、貯蔵タンク２８がカートリッジアセンブリ１の貯蔵タンクコネクタ入口開口部７に装着された状態でスプレーガン２０を示す。動作時においてカートリッジアセンブリ１は、スプレーガン２０のバレル２１内にぴったり収まり、貯蔵タンクコネクタ入口開口部７がバレル２１から突き出ることにより、貯蔵タンクコネクタ入口開口部７の周辺にシールが形成されて、貯蔵タンクコネクタ入口開口部７周辺のバレル２１から空気が流出するのを防止する。スプレーガン２０は、スプレーガン２０のバレル２１内に流入する圧縮空気の量を制御するトリガー２２、レバーアセンブリ２３、空気流入口２４、およびノズル２５を含む。トリガー２２は、液針１３を起動して液針１３を静止位置から移動させることにより液針１３の先細スプレー先端部１７を液スプレー先端開口部６からずらすレバーアセンブリ２３に装着されている。圧縮空気が空気流入口２４を通ってスプレーガン２０内に流入し、スプレーガン２０内を流れてノズル２５から流出する。カートリッジアセンブリ１は、カートリッジアセンブリ１の周辺に空間２６が存在するようにスプレーガン２０のバレル２１内にぴったり収まることにより、圧縮空気がカートリッジアセンブリ１の周辺を流れて通過し、スプレーガン２０のノズル２５から流出することができる。トリガー２２が引かれるにつれて、液針１３が静止位置から移動されることにより、重力により貯蔵タンク２８からカートリッジアセンブリ１に供給されている液体が液スプレー先端開口部６から流出して、スプレーガン２０のノズル２５から流出する圧縮空気により霧化できるようになる。スプレーガン２０に移動可能に装着された液体調整ノブ２７がトリガー２２の移動を制限することにより、スプレーガン２０に流入する圧縮空気の量を制御して、カートリッジアセンブリ１から流出する液体の量を制御する。カートリッジアセンブリ１の液スプレー先端開口部６から外へ吸い出される液体の量は、液スプレー先端開口部６を通り過ぎて流れる圧縮空気の流れにより測定される。圧縮空気の流れが強いほど、より多くの液体が液スプレー先端開口部６から吸い出される。液スプレー先端開口部６の直径は、塗布されている液体の種類に適合するのに充分な大きさである。薄い液体は小さい直径の液スプレー先端開口部６を必要とする一方、濃い液体は大きい直径の液スプレー先端開口部６を必要とする。
【００１２】
液体はスプレーガン２０の内部には一切接触しないため、使用後の洗浄が容易に行なえる。カートリッジアセンブリ１およびその要素は、任意の数の安価な材料、例えばプラスチックで製造できるので、使用後にユーザーがカートリッジアセンブリ１を廃棄できるため、実質的に洗浄が減るかまたは不要になる。
【００１３】
本発明について、特許法に準拠すべく、且つその新たな原理を適用して必要に応じて特化された要素を構築および使用するのに必要な情報を当業者に提供すべく、相当程度詳細に説明してきた。しかし、本発明が具体的に異なる機器および装置により実施可能であって、本発明の範囲から逸脱することなく機器および動作手順の両方に関して各種の変更を行なえる点を理解されたい。
【符号の説明】
【００１４】
１  カートリッジアセンブリ、２  本体、３  外面、４  内面、５  先細液スプレー先端、６  液スプレー先端開口部、７  コネクタ入口開口部、８  Ｅクリップ、９  液体圧縮バネ、１０  液針ワッシャー、１１  液針シール、１２  液カートリッジ端部キャップ、１３  液針、１４  嵌合端部、１５  針調整端部、１６  ボア、１７  先細スプレー先端、１８  制御端部、１９  環状溝、２０  スプレーガン、２１  バレル、２２  トリガー、２３  レバーアセンブリ、２４  空気流入口、２５  ノズル、２６  空間、２７  液体調整ノブ、２８  貯蔵タンク。
【図１】
2011519307.tif 000003
【図２】
2011519307.tif 000004
【図３】
2011519307.tif 000005
【手続補正書】
【提出日】平成22年12月7日(2010.12.7)
【手続補正１】
【補正対象書類名】特許請求の範囲
【補正対象項目名】全文
【補正方法】変更
【補正の内容】
【特許請求の範囲】
【請求項１】
スプレーガン用の使い捨てカートリッジアセンブリ（１）であって、
内部を液体が通過することを許容する液スプレー先端開口部（６）を備えた液スプレー先端（５）を一端に有し、貫通するボア（１６）を備えた端部キャップ（１２）をもう一端に有する管状本体（２）と、
前記管状本体（２）の側壁に形成されていて、前記カートリッジアセンブリ（１）内へ液体を供給すべく液体供給貯蔵タンク（２８）に前記カートリッジアセンブリ（１）を接続するコネクタ入口開口部（７）と、
前記端部キャップ（１２）の前記ボア（１６）を通ってスライド可能に係合し、前記スプレー先端開口部（６）に係合すべく先細端部（１７）を有する針（１３）であって、前記スプレー先端開口部（６）から液体の可変的な流出を許容および／または通過する液体の流れを防止すべく移動可能である針（１３）と、
を含み、
液針シール（１１）が前記液針（１３）の周辺に配置されていて前記端部キャップ（１２）の内側にぴったり合わさることにより、前記端部キャップ（１２）の前記ボア（１６）の外部への液体の流出が防止されること、
を特徴とするスプレーガン用使い捨てカートリッジアセンブリ。
【請求項２】
前記針（１３）を押し付けて前記針の先細端部（１７）を前記スプレー先端開口部（６）に係合させて液体の流れを止めるべく、前記管状本体（２）の内側に配置されたバネ（９）を有する、請求項１に記載のスプレーガン用使い捨てカートリッジアセンブリ。
【請求項３】
前記バネ（９）が前記管状本体（２）の内部で前記針（１３）を囲む、請求項２に記載のスプレーガン用使い捨てカートリッジアセンブリ。
【請求項４】
前記針（１３）が、前記管状本体（２）の外部に配置された制御端部（１８）、および前記先細端部（１７）と前記制御端部（１８）の間に配置された環状溝（１９）を含む、請求項３に記載のスプレーガン用使い捨てカートリッジアセンブリ。
【請求項５】
Ｅクリップ（８）が前記環状溝（１９）内で前記液針（１３）の周辺に固定されることにより、前記バネ（９）が前記液針（１３）から外れるのを防止する、請求項４に記載のスプレーガン用使い捨てカートリッジアセンブリ。
【請求項６】
前記管状本体（２）および／または前記針（１３）がプラスチック製である、請求項１に記載のスプレーガン用使い捨てカートリッジアセンブリ。
【請求項７】
ハウジング、空気流入口（２４）、ノズル（２５）、請求項１〜６のいずれか一項に記載の使い捨てカートリッジアセンブリ（１）、および前記カートリッジアセンブリ（１）のコネクタ入口開口部（７）に接続された液貯蔵タンク（２８）を含むスプレーガン（２０）であって、圧縮空気が前記空気流入口（２４）を通って前記スプレーガン（２０）内に流入し、前記ノズル（２５）から流出することにより、前記カートリッジ（１）の前記スプレー先端開口部（６）から流出する液体を霧化するスプレーガン（２０）。
【請求項８】
前記スプレーガンが、前記カートリッジアセンブリ（１）が取り外し可能にぴったり収まっているバレル（２１）を含む、請求項７に記載のスプレーガン。
【請求項９】
前記カートリッジアセンブリ（１）が、前記カートリッジアセンブリ（１）の周辺に空間（２６）が存在するように前記スプレーガン（２０）の前記バレル（２１）内に取り外し可能にぴったり収まることにより、前記圧縮空気が前記カートリッジアセンブリ（１）の周辺を流れて通過し、前記ノズル（２５）から流出する、請求項８に記載のスプレーガン。
【請求項１０】
前記スプレーガン（２０）に流入する前記圧縮空気の量を制御するトリガー（２２）を更に含む、請求項７または８に記載のスプレーガン。
【請求項１１】
前記トリガー（２２）が、前記液針（１３）を自身の先細スプレー先端（１７）が前記スプレー先端開口部（６）内に静置されている静止位置から、液体が前記スプレー先端開口部（６）を通って流出可能な位置に移動させる前記液針（１３）を起動するレバーアセンブリ（２３）に装着されている、請求項１０に記載のスプレーガン。
【国際調査報告】
2011519307.tif 000006